Podtech/llm-jp-corpus-v4-ja_patent huggingface dataset:
【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
遊技媒体が供されることでゲームの実行が可能となる遊技機であって、
複数の図柄が変動表示される複数の変動表示体を含む変動表示装置と、
１回のゲームとしての開始条件が満たされると、当該ゲームの始動操作の受け付けが可能となる始動操作部と、
前記始動操作部にて前記始動操作が受け付けられると、複数の有利役および当該有利役以外の複数の一般役を含む複数の当選役の中からいずれかを選び出しうる内部抽選処理を行う抽選手段と、
前記始動操作部にて前記始動操作が受けられると、前記変動表示装置において前記図柄の変動表示を開始させる変動表示開始手段と、
前記変動表示装置にて前記図柄が変動表示されると、当該変動表示されている図柄の停止操作の受け付けが可能となる停止操作部と、
前記停止操作部にて前記停止操作が受けられると、前記内部抽選処理の結果に応じた前記複数の変動表示体を跨る図柄組み合わせにて前記変動表示されている図柄を停止表示させうる停止制御手段と、
前記停止制御手段によって前記変動表示されている図柄が停止表示されると、当該停止表示された前記図柄組み合わせに基づいて入賞役を判定しうる図柄判定手段と、
前記図柄判定手段により判定された入賞役に応じた遊技価値を、１回のゲームで完結する利益として付与しうる遊技価値付与手段と、
前記図柄判定手段により前記複数の有利役のうちの特別有利役に入賞したと判定されたことに基づいて、複数のゲームに亘って前記遊技価値としての遊技媒体が付与される確率が高められる遊技者に有利な特別遊技を実行する特別遊技実行手段と、
前記図柄判定手段により前記複数の有利役のうちの特定有利役に入賞したと判定されたことに基づいて、複数のゲームに亘って前記遊技価値としての前記遊技媒体が供されることなく次ゲームを実行する権利が付与される確率が高められる遊技者に有利な特定遊技を実行可能な特定遊技実行手段と、
を備え、
前記複数の当選役には、遊技者に不利益を与える不利益役がさらに含まれるとともに、
前記図柄判定手段により前記不利益役に入賞したと判定されたことに基づいて、遊技者に有利な前記特定遊技の実行契機である前記特定有利役に入賞したと前記図柄判定手段により判定されたにもかかわらず、当該特定有利役への入賞が当該特定遊技の実行契機とならない事象を、１ゲームまたは数ゲームに限って生じさせる不利益遊技を実行可能な不利益遊技実行手段をさらに備え、
前記抽選手段は、
前記複数の有利役、前記複数の一般役および前記不利益役のそれぞれに応じた確率でいずれかを選び出しうる前記内部抽選処理として通常抽選処理を行う通常抽選手段と、
前記不利益遊技としての前記１ゲームまたは数ゲームにおいて、前記図柄判定手段により前記特定有利役に入賞したと判定されやすいように、前記内部抽選処理として少なくとも前記有利役のうち当該特定有利役が選び出される確率が高められた特定抽選処理を行う特定抽選手段と、を有する
ことを特徴とする遊技機。
【請求項２】
前記停止制御手段は、
前記内部抽選処理にて前記不利益役が選び出された場合には、
前記変動表示されている図柄が停止表示された際に前記不利益役への入賞を遊技者に把握され難いように、前記不利益役に対応する図柄組み合わせとしての前記複数の変動表示体を跨る図柄組み合わせが少なくとも一つの図柄が他の図柄と異なる図柄の組み合わせにて前記変動表示されている図柄を停止表示させうる
請求項１に記載の遊技機。
【請求項３】
前記抽選手段は、
前記通常抽選処理にて前記特定有利役が選び出される確率と、前記通常抽選処理にて前記不利益役が選び出され且つ当該不利益役が選び出されたことに基づく前記特定抽選処理にて前記特定有利役が選び出される確率と、が同じかまたは近似する
請求項１または請求項２に記載の遊技機。
【手続補正２】
【補正対象書類名】明細書
【補正対象項目名】０００９
【補正方法】変更
【補正の内容】
【０００９】
上記課題を解決するための本発明に係る遊技機は、遊技媒体が供されることでゲームの実行が可能となる遊技機であって、複数の図柄が変動表示される複数の変動表示体を含む変動表示装置と、１回のゲームとしての開始条件が満たされると、当該ゲームの始動操作の受け付けが可能となる始動操作部と、前記始動操作部にて前記始動操作が受け付けられると、複数の有利役および当該有利役以外の複数の一般役を含む複数の当選役の中からいずれかを選び出しうる内部抽選処理を行う抽選手段と、前記始動操作部にて前記始動操作が受けられると、前記変動表示装置において前記図柄の変動表示を開始させる変動表示開始手段と、前記変動表示装置にて前記図柄が変動表示されると、当該変動表示されている図柄の停止操作の受け付けが可能となる停止操作部と、前記停止操作部にて前記停止操作が受けられると、前記内部抽選処理の結果に応じた前記複数の変動表示体を跨る図柄組み合わせにて前記変動表示されている図柄を停止表示させうる停止制御手段と、前記停止制御手段によって前記変動表示されている図柄が停止表示されると、当該停止表示された前記図柄組み合わせに基づいて入賞役を判定しうる図柄判定手段と、前記図柄判定手段により判定された入賞役に応じた遊技価値を、１回のゲームで完結する利益として付与しうる遊技価値付与手段と、前記図柄判定手段により前記複数の有利役のうちの特別有利役に入賞したと判定されたことに基づいて、複数のゲームに亘って前記遊技価値としての遊技媒体が付与される確率が高められる遊技者に有利な特別遊技を実行する特別遊技実行手段と、前記図柄判定手段により前記複数の有利役のうちの特定有利役に入賞したと判定されたことに基づいて、複数のゲームに亘って前記遊技価値としての前記遊技媒体が供されることなく次ゲームを実行する権利が付与される確率が高められる遊技者に有利な特定遊技を実行可能な特定遊技実行手段と、を備え、前記複数の当選役には、遊技者に不利益を与える不利益役がさらに含まれるとともに、前記図柄判定手段により前記不利益役に入賞したと判定されたことに基づいて、遊技者に有利な前記特定遊技の実行契機である前記特定有利役に入賞したと前記図柄判定手段により判定されたにもかかわらず、当該特定有利役への入賞が当該特定遊技の実行契機とならない事象を、１ゲームまたは数ゲームに限って生じさせる不利益遊技を実行可能な不利益遊技実行手段をさらに備え、前記抽選手段は、前記複数の有利役、前記複数の一般役および前記不利益役のそれぞれに応じた確率でいずれかを選び出しうる前記内部抽選処理として通常抽選処理を行う通常抽選手段と、前記不利益遊技としての前記１ゲームまたは数ゲームにおいて、前記図柄判定手段により前記特定有利役に入賞したと判定されやすいように、前記内部抽選処理として少なくとも前記有利役のうち当該特定有利役が選び出される確率が高められた特定抽選処理を行う特定抽選手段と、を有することを要旨とするものである。
【手続補正書】
【提出日】平成23年4月15日(2011.4.15)
【手続補正１】
【補正対象書類名】特許請求の範囲
【補正対象項目名】全文
【補正方法】変更
【補正の内容】
【特許請求の範囲】
【請求項１】
多極着磁されたマグネット部材を備えたロータと、前記マグネット部材に対向する磁極部を備えたステータと、前記磁極部を励磁するコイルと、前記ロータに固定されて一体的に回転する駆動部材と、を有する電磁駆動装置において、
前記マグネット部材を、レーザ光吸収性樹脂をバインダー材として射出成形で形成し、
前記駆動部材を、レーザ光透過性樹脂で形成し、
前記駆動部材に前記マグネット部材の一端面と当接する溶着部を設け、
前記駆動部材を、前記マグネット部材上で、初期位置に位置決めすると共に、前記マグネット部材を、前記ステータの前記磁極部に対して初期位置となる回転位相状態に保持した位相決め状態とし、
この位相決め状態で、レーザ光を前記駆動部材に透過させて前記マグネット部材に照射することにより、前記マグネット部材の一端面と前記駆動部材の溶着部とを溶着固定して構成したことを特徴とする電磁駆動装置。
【請求項２】
前記マグネット部材の軸方向における一方の端部に平面部を設け、当該平面部と前記駆動部材の溶着部とを溶着固定することを特徴とする請求項１に記載の電磁駆動装置。
【請求項３】
前記ロータは前記マグネット部材の平面部内側に軟磁性材料からなるコアが配置されることを特徴とする請求項２に記載の電磁駆動装置。
【請求項４】
前記駆動部材はギアであることを特徴とする請求項１乃至３の何れか１項に記載の電磁駆動装置。
【請求項５】
前記ギアの溶着部を、歯先よりも外径が大きな端板状に形成したことを特徴とする請求項４に記載の電磁駆動装置。
【請求項６】
前記ギアの溶着部の一部に、溶着時の位相決め部を設けたことを特徴とする請求項５に記載の電磁駆動装置。
【請求項７】
前記駆動部材は回転出力伝達部を備えたレバーであることを特徴とする請求項１又は２に記載の電磁駆動装置。
【請求項８】
多極着磁されたマグネット部材を備えたロータと、前記マグネット部材に対向する磁極部を備えたステータと、前記磁極部を励磁するコイルと、前記ロータに固定されて一体的に回転する駆動部材と、を有する電磁駆動装置の製造方法において、
前記マグネット部材を、レーザ光吸収性樹脂をバインダー材として射出成形で形成する工程と、
前記駆動部材を、レーザ光透過性樹脂で形成する工程と、
前記駆動部材を、前記マグネット部材上で、初期位置に位置決めすると共に、前記マグネット部材を、前記ステータの前記磁極部に対して初期位置となる回転位相状態に保持した位相決め状態とする工程と、
この位相決め状態で、レーザ光を前記駆動部材に透過させて前記マグネット部材に照射することにより、前記マグネット部材の一端面と当接するよう前記駆動部材に設けた溶着部とを溶着固定する工程と、
を有することを特徴とする電磁駆動装置の製造方法。
【手続補正２】
【補正対象書類名】明細書
【補正対象項目名】００１７
【補正方法】削除
【補正の内容】
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】変更
【補正の内容】
【００１９】
上記目的を達成するために請求項１に記載の発明は、多極着磁されたマグネット部材を備えたロータと、前記マグネット部材に対向する磁極部を備えたステータと、前記磁極部を励磁するコイルと、前記ロータに固定されて一体的に回転する駆動部材と、を有する電磁駆動装置において、前記マグネット部材を、レーザ光吸収性樹脂をバインダー材として射出成形で形成し、前記駆動部材を、レーザ光透過性樹脂で形成し、前記駆動部材に前記マグネット部材の一端面と当接する溶着部を設け、前記駆動部材を、前記マグネット部材上で、初期位置に位置決めすると共に、前記マグネット部材を、前記ステータの前記磁極部に対して初期位置となる回転位相状態に保持した位相決め状態とし、この位相決め状態で、レーザ光を前記駆動部材に透過させて前記マグネット部材に照射することにより、前記マグネット部材の一端面と前記駆動部材の溶着部とを溶着固定して構成したことを特徴とする。
【手続補正５】
【補正対象書類名】明細書
【補正対象項目名】００２０
【補正方法】変更
【補正の内容】
【００２０】
上述のように構成することにより、駆動部材とマグネット部材との間で相対的に初期位置に位相決めする。そしてこの状態で、レーザ光を透過可能な材料で形成された駆動部材にレーザ光を透過させるように照射するレーザ光を利用して溶着固定することによって、駆動部材とマグネット部材とを一体的に固着する。このレーザ光を利用して溶着固定する場合には、固着させる際に駆動部材とマグネット部材との間を相対的に移動させるような外力が働く要因がない。よって、マグネット部材の着磁位相と駆動部材との相互位相精度の高い電磁駆動装置を製作することができる。すなわち、レーザ光で溶着固定するため、マグネット部材の着磁位相と駆動部材との相互位相精度の高い電磁駆動装置とすることができる。また、マグネット部材と駆動部材との固定にかかる時間が短くて済む。
【手続補正６】
【補正対象書類名】明細書
【補正対象項目名】００２１
【補正方法】変更
【補正の内容】
【００２１】
上記目的を達成するために請求項８に記載の発明は、多極着磁されたマグネット部材を備えたロータと、前記マグネット部材に対向する磁極部を備えたステータと、前記磁極部を励磁するコイルと、前記ロータに固定されて一体的に回転する駆動部材と、を有する電磁駆動装置の製造方法において、前記マグネット部材を、レーザ光吸収性樹脂をバインダー材として射出成形で形成する工程と、前記駆動部材を、レーザ光透過性樹脂で形成する工程と、前記駆動部材を、前記マグネット部材上で、初期位置に位置決めすると共に、前記マグネット部材を、前記ステータの前記磁極部に対して初期位置となる回転位相状態に保持した位相決め状態とする工程と、この位相決め状態で、レーザ光を前記駆動部材に透過させて前記マグネット部材に照射することにより、前記マグネット部材の一端面と当接するよう前記駆動部材に設けた溶着部とを溶着固定する工程と、を有することを特徴とする。
【手続補正７】
【補正対象書類名】明細書
【補正対象項目名】００２２
【補正方法】変更
【補正の内容】
【００２２】
上述の構成によれば、駆動部材とマグネット部材との間で相対的に初期位置に位相決めする。そしてこの状態で、レーザ光を透過可能な材料で形成された駆動部材にレーザ光を透過させるように照射するレーザ光を利用して溶着固定することによって、駆動部材とマグネット部材とを一体的に固着する。このレーザ光を利用して溶着固定する場合には、固着させる際に駆動部材とマグネット部材との間を相対的に移動させるような外力が働く要因がない。よって、マグネット部材の着磁位相と駆動部材との相互位相精度の高い電磁駆動装置を製作することができる。
【手続補正書】
【提出日】平成23年3月28日(2011.3.28)
【手続補正１】
【補正対象書類名】明細書
【補正対象項目名】００１６
【補正方法】変更
【補正の内容】
【００１６】
リール本体２は、図１及び図２に示すように、開口２ｄを有する、例えばアルミニウム合金や合成樹脂製のリールボディ２ａと、開口２ｄを塞ぐようにリールボディ（図２）２ａに着脱自在に装着された、例えばアルミニウム合金や合成樹脂製の蓋部材（図１）２ｂと、リールボディ２ａから斜め上前方に延びる竿取付脚２ｃとを有している。
【手続補正２】
【補正対象書類名】明細書
【補正対象項目名】００２２
【補正方法】変更
【補正の内容】
【００２２】
発音部材８６は、金属製の部材であり、非円形部１５ａに係合するスロット形状の係合孔８６ａを有している。発音部材８６は、スプール４の後方への移動を規制してドラグ力を発生させる機能も有している。調整座金８８は弾性を有する合成樹脂製であり、溝部１５ｃに係合するスロット形状の係合孔８８ａを有している。したがって、調整座金８８は、溝部１５ｃから外れにくくなっている。
【手続補正３】
【補正対象書類名】明細書
【補正対象項目名】００２７
【補正方法】変更
【補正の内容】
【００２７】
スカート部７ｂは、糸巻き胴部７ａの後方から径方向に延びる後フランジ部７ｈと、後フランジ部７ｈの外周側から後方に筒状に延びる円筒部７ｉと、を有している。この円筒部７ｉの内側にロータ３の連結部３０が配置されている。スカート部７ｂの円筒部７ｉには、面取りされた環状溝７ｋと、環状溝７ｋ内に周方向に間隔を隔てて形成された複数のスリット７ｍと、が形成されている。
【手続補正４】
【補正対象書類名】明細書
【補正対象項目名】００３２
【補正方法】変更
【補正の内容】
【００３２】
このような構成のスプール４をスプール軸１５に装着すると、糸巻き胴部７ａの内周面に配置された軸受部材８の係合孔８ａが非円形部１５ａの外周面の略全面に接触して係合する。これにより、合成樹脂製の軸受部材８がスプール軸１５に対して回転不能になるとともに、軸受部材８の外周面と糸巻き胴部７ａの内周面との間でスプール本体７と軸受部材８とが回転自在になる。このため、糸巻き胴部７ａが軸受部材８の円形の外周面に支持されドラグが作動してもスプール本体７がスプール軸１５に対してスムーズに回転する。
【手続補正５】
【補正対象書類名】明細書
【補正対象項目名】００４３
【補正方法】変更
【補正の内容】
【００４３】
ドラグ発音機構８５は、ドラグの作動によりスプール軸１５とスプール４とが相対回転すると発音する機構である。ドラグ発音機構８５は、図３に示すように、スプール軸１５の非円形部１５ａの後端部に装着される円板状の発音部材８６と、糸巻き胴部７ａの後端面に揺動自在に装着され発音部材８６に対して打撃を繰り返す爪部材８７と、を有している。発音部材８６は、図４に示すように、後方への移動が規制された状態で非円形部１５ａに回転不能に装着された円板状の部材であり、外周に周方向に間隔を隔てて形成された凹凸部８６ｂを有している。この凹凸部８６ｂに爪部材８７が衝突を繰り返すことにより、ドラグ作動時にスプール４が回転すると発音する。
【手続補正６】
【補正対象書類名】明細書
【補正対象項目名】００４７
【補正方法】変更
【補正の内容】
【００４７】
また、スプール軸１５に設けられた溝部１５ｃにより、軸受部材８に形成された抜け止め突起８ｂが係止されるので、スプール４をスプール軸１５から外しても、軸受部材８がスプール軸１５に残る。このため、軸受部材８がスプール本体７からに外れることによる軸受部材８の脱落を防止できる。
【手続補正７】
【補正対象書類名】明細書
【補正対象項目名】００５３
【補正方法】変更
【補正の内容】
【００５３】
（ｂ）前記実施形態では、軸受部材を筒状部材で構成した。しかし、本発明はこれに限定されない。図８に示すように、スプール２０４では、スプール本体２０７の糸巻き胴部２０７ａの軸支持部２０７ｇに段付きの装着孔２０７ｋが形成されている。軸受部材２０８は、大径の鍔部２０８ｅと筒状部２０８ｆとを有する鍔付き円筒状に形成されている。
この場合、スプール２０４をスプール軸１５から外す場合、鍔部２０８ｅによりスプール本体２０７とともに軸受部材２０８はスプール軸１５から外れる。このため、抜け止め突起は形成されていない。なお、スプール２０４のその他の構成は前記実施形態と同様のため、符号及び構成の説明は省略する。
【手続補正８】
【補正対象書類名】明細書
【補正対象項目名】００５５
【補正方法】変更
【補正の内容】
【００５５】
（ｃ）前記実施形態では、スプール軸１５の非円形部１５ａを１対の円弧部分と弦部分とを有する長円形形状に形成し、非円形部１５ａに係合する軸受部材８の係合孔８ａも同様な形状であるが、非円形部及び係合孔の形状は前記実施形態に限定されない。たとえば、非円形部の形状は矩形等の多角形断面や楕円断面等でもよい。
【手続補正書】
【提出日】平成23年3月9日(2011.3.9)
【手続補正１】
【補正対象書類名】明細書
【補正対象項目名】０００２
【補正方法】変更
【補正の内容】
【０００２】
糖鎖は、核酸、タンパク質に次ぐ第三の“鎖”であり、近年、その役割や機能の実態が次第に明らかになるとともに、糖鎖の機能の向上や改変のための糖鎖工学の研究も盛んに行われていることは当業者に周知の通りである。例えば、人工的な糖鎖の構築方法については、グリコシダーゼの糖転移活性を利用したグリコシル化（例えば非特許文献１）などの酵素学的手法の他、化学的手法が種々提案されている。
【非特許文献１】H, Saitoh et al., J. Biol. Chem., 270, 3741-3747, 1995.
【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
複数の図柄列が回転表示される図柄表示手段と、
前記複数の図柄列の回転表示を開始させるスタート操作手段と、
前記スタート操作手段の操作に基づいて、当選役についての当選成立にかかる抽選ゲームを行う役抽選手段と、
前記役抽選手段による抽選ゲームの結果に基づいて前記回転表示の停止にかかる制御を行う回転停止制御手段と、
を備え、
前記当選役には、複数の一般役および特典役が含まれており、
前記複数の図柄列が停止表示されたときの停止図柄組み合わせが前記複数の一般役のうちいずれかの役に対応する図柄組み合わせであることに基づいて、前記役抽選手段による１回の抽選ゲームの結果として所定の利益を付与する利益付与手段と、
前記停止図柄組み合わせが前記特典役に対応する図柄組み合わせであることに基づいて、前記１回の抽選ゲームの結果として前記所定の利益が付与される期待感が所定期間にわたって高められる利益ゲームを付与する利益ゲーム付与手段と、
を備える遊技機であって、
前記当選役には、前記抽選ゲームにて前記特典役に当選したとしても前記利益ゲームの付与を無効化しうる無効役がさらに含まれ、
前記停止図柄組み合わせが前記無効役に対応する図柄組み合わせであることに基づいて、前記特典役についての当選確率を高めるとともに、前記停止図柄組み合わせが前記特典役に対応する図柄組み合わせであったとしても、前記利益ゲームの付与が無効化される無効化期間を、１ゲームまたは数ゲームに限って創出する無効化創出手段、をさらに備える
ことを特徴とする遊技機。
【請求項２】
所定の演出が表示される演出表示手段と、
前記役抽選手段による前記抽選ゲームの結果に基づいて前記演出表示手段の表示を制御する演出表示制御手段と、をさらに備え、
前記演出表示制御手段は、
前記役抽選手段による抽選ゲームにて前記特典役が当選成立したことに基づいて、前記利益付与ゲームが付与される可能性がある旨を遊技者にアピールする訴求演出を行い、
前記無効化期間が創出されるに際しては、当該無効化期間が創出される旨を把握し難い演出を行うとともに、
前記回転停止制御手段は、
前記抽選ゲームにて前記無効役に当選した場合には、
前記停止図柄組み合わせが前記無効役に対応する図柄組み合わせであると遊技者に把握され難いように、当該無効役に対応する図柄組み合わせとしての前記複数の図柄列による停止図柄組み合わせが少なくとも一つの図柄が他の図柄と異なる図柄の組み合わせで停止表示されるよう前記回転表示の停止にかかる制御を行う
ことを特徴とする請求項１に記載の遊技機。
【請求項３】
前記演出表示制御手段は、
前記停止図柄組み合わせが前記特典役に対応する図柄組み合わせであることに基づいて前記利益ゲームを付与するか否かの抽選を行っているかのように見せるべく、前記有効化期間であるか否かにかかわらず、前記停止図柄組み合わせが前記特典役に対応する図柄組み合わせであることに基づいて前記利益ゲームが付与される可能性がある旨の演出を行う
ことを特徴とする請求項２に記載の遊技機。
【手続補正２】
【補正対象書類名】明細書
【補正対象項目名】０００８
【補正方法】変更
【補正の内容】
【０００８】
上記課題を解決するための本発明に係る遊技機は、複数の図柄列が回転表示される図柄表示手段と、前記複数の図柄列の回転表示を開始させるスタート操作手段と、前記スタート操作手段の操作に基づいて、当選役についての当選成立にかかる抽選ゲームを行う役抽選手段と、前記役抽選手段による抽選ゲームの結果に基づいて前記回転表示の停止にかかる制御を行う回転停止制御手段と、を備え、前記当選役には、複数の一般役および特典役が含まれており、前記複数の図柄列が停止表示されたときの停止図柄組み合わせが前記複数の一般役のうちいずれかの役に対応する図柄組み合わせであることに基づいて、前記役抽選手段による１回の抽選ゲームの結果として所定の利益を付与する利益付与手段と、前記停止図柄組み合わせが前記特典役に対応する図柄組み合わせであることに基づいて、前記１回の抽選ゲームの結果として前記所定の利益が付与される期待感が所定期間にわたって高められる利益ゲームを付与する利益ゲーム付与手段と、を備える遊技機であって、前記当選役には、前記抽選ゲームにて前記特典役に当選したとしても前記利益ゲームの付与を無効化しうる無効役がさらに含まれ、前記停止図柄組み合わせが前記無効役に対応する図柄組み合わせであることに基づいて、前記特典役についての当選確率を高めるとともに、前記停止図柄組み合わせが前記特典役に対応する図柄組み合わせであったとしても、前記利益ゲームの付与が無効化される無効化期間を、１ゲームまたは数ゲームに限って創出する無効化創出手段、をさらに備えることを要旨とするものである。
【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
鋼板、非鉄金属板、樹脂板、ガラス板、あるいはフィルム状樹脂組成物等からなる被洗浄面の洗浄、清掃、研磨、表面処理等を行うブラシロールにおいて、前記ブラシロールは、略棒状又は円筒状の回転軸と、前記回転軸の外周に螺旋状に巻き付けられたブラシ部を有し、前記ブラシ部は断面略Ｕ字状の帯状体と、前記帯状体で芯線と共に挟持されるブラシ毛材とで構成されたチャンネルブラシからなるブラシ体が３本以上並列に設けられてあると共に、前記回転軸の外周に螺旋状に巻き回されて形成されてあり、前記ブラシ体は前記回転軸の軸心の垂線にたいして４５°以下の傾斜角度を有すると共に、前記回転軸の外周に固定手段にて固定して形成されてあることを特徴とするブラシロール。
【請求項２】
請求項１記載の構成よりなるブラシロールにおいて、ブラシ部は少なくとも１本以上のブラシ体を構成するブラシ毛材が、他のブラシ体を構成するブラシ毛材と異なる材質にて形成されてあることを特徴とするブラシロール。
【請求項３】
請求項１又は２記載の構成よりなるブラシロールにおいて、ブラシ部は少なくとも１本以上のブラシ体を構成するブラシ毛材が、他のブラシ体を構成するブラシ毛材と異なる線径にて形成されてあることを特徴とするブラシロール。
【請求項４】
請求項１から３のいずれか１項に記載の構成よりなるブラシロールにおいて、ブラシ部は少なくとも１本以上のブラシ体を構成するブラシ毛材が、他のブラシ体を構成するブラシ毛材と異なる形状にて形成されてあることを特徴とするブラシロール。
【請求項５】
請求項１から４のいずれか１項に記載の構成よりなるブラシロールにおいて、ブラシ部は少なくとも１本以上のブラシ体を構成するブラシ毛材が、他のブラシ体を構成するブラシ毛材と異なる毛丈にて形成されてあることを特徴とするブラシロール。
【請求項６】
請求項１から５のいずれか１項に記載の構成よりなるブラシロールにおいて、ブラシ部は夫々のブラシ体の始点及び終点が、回転軸の外周の等分箇所に固定手段にて固定して形成されてあることを特徴とするブラシロール。
【請求項７】
請求項１から６のいずれか１項に記載されたブラシロールと、前記ブラシロールを回転駆動する駆動手段と、前記ブラシロール及び／又は被洗浄面に洗浄液等の液体を吹き付ける複数のノズルを有する洗浄装置。
【手続補正２】
【補正対象書類名】明細書
【補正対象項目名】００１７
【補正方法】変更
【補正の内容】
【００１７】
請求項３のブラシロールは、特に、請求項１又は２のブラシロールにおいて、ブラシ部は少なくとも１本以上のブラシ体を構成するブラシ毛材が、他のブラシ体を構成するブラシ毛材と異なる線径にて形成されてあるもので、夫々のブラシ体を構成するブラシ毛材の線径を変えることにより、ブラシ毛材の毛腰に強弱の変化を付与することができ、被洗浄面にたいして異なる接触力、押付力にてブラシ毛材を当接させることができる。すなわち、線径の細いブラシ毛材は毛腰が柔軟で、被洗浄面にたいする追従性が向上する。また、線径の太いブラシ毛材は毛腰が剛直で、被洗浄面にたいする押付力が向上する。前記の如く、ブラシ体を構成するブラシ毛材の線径を変えることにより、ブラシ毛材の毛腰に強弱の変化が付与され、被洗浄面に付着、堆積しているさまざまな性状を有する異物等の対象物が、効率よく確実に、除去される。
【手続補正３】
【補正対象書類名】明細書
【補正対象項目名】００１８
【補正方法】変更
【補正の内容】
【００１８】
請求項４のブラシロールは、特に、請求項１から３のいずれかのブラシロールにおいて、ブラシ部は少なくとも１本以上のブラシ体を構成するブラシ毛材が、他のブラシ体を構成するブラシ毛材と異なる形状にて形成されてあるもので、異なる形状とは、例えば、ブラシ毛材の長手方向における形状、ブラシ毛材の断面形状等のことである。夫々のブラシ体を構成するブラシ毛材の形状を変えることにより、ブラシ毛材の毛腰に強弱の変化を付与することができ、被洗浄面にたいして異なる接触力、押付力にてブラシ毛材を当接させることができる。ブラシ毛材の長手方向における形状としては、複数本の単糸を撚り合わせた撚り糸は毛腰が柔軟であり、長手方向に湾曲部を有する波形状の単糸繊維は毛腰に弾力性があり、繊維の表面に酸化アルミニウム、炭化ケイ素、ダイアモンド等の砥粒が付着した砥粒入り繊維は毛腰が剛直である。
【手続補正４】
【補正対象書類名】明細書
【補正対象項目名】００２２
【補正方法】変更
【補正の内容】
【００２２】
請求項５のブラシロールは、特に、請求項１から４のいずれかのブラシロールにおいて、ブラシ部は少なくとも１本以上のブラシ体を構成するブラシ毛材が、他のブラシ体を構成するブラシ毛材と異なる毛丈にて形成されてあるもので、夫々のブラシ体を構成するブラシ毛材の毛丈を変えることにより、ブラシ毛材の毛腰に強弱の変化を付与することができ、被洗浄面にたいして異なる接触力、押付力にてブラシ毛材を当接させることができる。すなわち、毛丈の長いブラシ毛材は毛腰が柔軟で、被洗浄面にたいする追従性が向上する。また、毛丈の短いブラシ毛材は毛腰が剛直で、被洗浄面にたいする押付力が向上する。前記の如く、ブラシ体を構成するブラシ毛材の毛丈を変えることにより、ブラシ毛材の毛腰に強弱の変化が付与され、被洗浄面に付着、堆積しているさまざまな性状を有する異物等の対象物が、効率よく確実に、除去される。
【手続補正５】
【補正対象書類名】明細書
【補正対象項目名】００２３
【補正方法】変更
【補正の内容】
【００２３】
請求項６のブラシロールは、特に、請求項１から５のいずれかのブラシロールにおいて、ブラシ部は夫々のブラシ体の始点及び終点が、回転軸の外周の等分箇所に固定手段にて固定して形成されてあるもので、ブラシロールは、回転に伴う回転軸の芯ブレの発生が抑制され、安定した回転が保持される為、長期間に亘り、優れた洗浄性能が発揮される。
【手続補正書】
【提出日】平成23年4月25日(2011.4.25)
【手続補正１】
【補正対象書類名】特許請求の範囲
【補正対象項目名】全文
【補正方法】変更
【補正の内容】
【特許請求の範囲】
【請求項１】
被検体を載置する寝台天板と、
操作部と、
前記操作部の指示を受けて、前記寝台天板を前記被検体の体軸方向又は上下方向の少なくとも一方に移動させる寝台駆動部と、
前記被検体の体軸方向に広がり角をもってＸ線を照射するＸ線源と、
前記Ｘ線源を被検体の周りに回転可能に支持する架台と、
前記架台に設けられ、前記Ｘ線源の予め定められた回転角の位置から前記寝台天板に載置された被検体を撮影するカメラと、
前記カメラで撮影された被検体の画像を作成する第１画像作成部と、
前記Ｘ線源で前記被検体を撮影する場合のＸ線の推定曝射範囲であって、前記予め定められた回転角を除く２以上の前記Ｘ線源の回転角の位置からそれぞれ前記広がり角をもって前記被検体に照射するときの推定曝射範囲を組み合わせた画像を作成する第２画像作成部と、
前記推定曝射範囲の画像と前記被検体の画像とを重ねた画像を作成する第３画像作成部と、
を有することを特徴とするＸ線ＣＴ装置。
【請求項２】
表示部と、
前記重ねた画像を前記表示部に表示させる表示制御部と、
を有することを特徴とする請求項１に記載のＸ線ＣＴ装置。
【請求項３】
前記表示制御部は、前記寝台天板の移動に応じて移動する前記被検体の画像を表示させることを特徴とする請求項２に記載のＸ線ＣＴ装置。
【請求項４】
前記操作部及び前記表示部は、前記架台に設けられていることを特徴とする請求項１又は請求項２に記載のＸ線ＣＴ装置。
【請求項５】
さらに、前記第２画像作成部は、前記推定曝射範囲内の各領域が受けるＸ線の曝射量を求め、該Ｘ線の曝射量に応じて前記領域の濃度を変えることを特徴とする請求項１又は請求項２に記載のＸ線ＣＴ装置。
【請求項６】
さらに、前記第１画像作成部は、前記被検体の画像を作成した後に、該作成した被検体の画像に基づき、前記寝台天板の移動量に応じて移動させた被検体の画像を作成し、
さらに、前記第３画像作成部は、前記移動させた被検体の画像と、前記推定曝射範囲の画像とを重ねた画像を作成することを特徴とする請求項３〜５のいずれかに記載のＸ線ＣＴ装置。
【請求項７】
被検体の周りに回転可能なＸ線源の予め定められた回転角の位置から寝台天板上の被検体へ光ビームを投光するステップと、
前記光ビームが投光された前記寝台天板上の被検体をカメラで撮影するステップと、
前記カメラで撮影された被検体の画像及び前記光ビームの画像を表示部に表示させるステップと、
前記寝台天板を被検体の体軸方向あるいは上下方向の少なくとも一方に移動させることにより、又は前記Ｘ線源の回転中心軸を被検体の体軸に対して傾斜させることにより、被検体に対し予め設けられた基準ラインに前記光ビームを合わせるステップと、
前記カメラで撮影された被検体の画像を、前記Ｘ線源の予め定められた回転角の位置から前記カメラで撮影された場合の被検体の画像に補正するステップと、
前記Ｘ線源で被検体を撮影する場合、前記予め定められた回転角を除く２以上の前記Ｘ線源の回転角からそれぞれ広がり角をもって前記被検体に照射するときの推定曝射範囲を組み合わせた画像を作成するステップと、
前記推定曝射範囲の画像と、前記補正された被検体の画像とを重ねた画像を作成するステップと、
前記重ねた画像を表示部に表示させるステップと、
前記寝台天板を被検体の体軸方向又は上下方向の少なくとも一方に移動させるとき、該寝台天板の移動に応じて移動する前記被検体の画像を表示させるステップと、
を有することを特徴とするＸ線ＣＴ装置における被検体の位置決め方法。
【手続補正２】
【補正対象書類名】明細書
【補正対象項目名】００１２
【補正方法】変更
【補正の内容】
【００１２】
上記課題を解決するため、この発明は、Ｘ線の推定曝射範囲の中の被検体を可視化し、被検体を移動させることにより、被検者の被曝範囲を減少させていくことが可能であることに着目した。
具体的に、請求項１に記載された発明は、被検体を載置する寝台天板と、操作部と、前記操作部の指示を受けて、前記寝台天板を前記被検体の体軸方向又は上下方向の少なくとも一方に移動させる寝台駆動部と、前記被検体の体軸方向に広がり角をもってＸ線を照射するＸ線源と、前記Ｘ線源を被検体の周りに回転可能に支持する架台と、前記架台に設けられ、前記Ｘ線源の予め定められた回転角の位置から前記寝台天板に載置された被検体を撮影するカメラと、前記カメラで撮影された被検体の画像を作成する第１画像作成部と、前記Ｘ線源で前記被検体を撮影する場合のＸ線の推定曝射範囲であって、前記予め定められた回転角を除く２以上の前記Ｘ線源の回転角の位置からそれぞれ前記広がり角をもって前記被検体に照射するときの推定曝射範囲を組み合わせた画像を作成する第２画像作成部と、前記推定曝射範囲の画像と前記被検体の画像とを重ねた画像を作成する第３画像作成部と、を有することを特徴とするＸ線ＣＴ装置である。
さらに、請求項７に記載された発明は、被検体の周りに回転可能なＸ線源の予め定められた回転角の位置から寝台天板上の被検体へ光ビームを投光するステップと、前記光ビームが投光された前記寝台天板上の被検体をカメラで撮影するステップと、前記カメラで撮影された被検体の画像及び前記光ビームの画像を表示部に表示させるステップと、前記寝台天板を被検体の体軸方向あるいは上下方向の少なくとも一方に移動させることにより、又は前記Ｘ線源の回転中心軸を被検体の体軸に対して傾斜させることにより、被検体に対し予め設けられた基準ラインに前記光ビームを合わせるステップと、前記カメラで撮影された被検体の画像を、前記Ｘ線源の予め定められた回転角の位置から前記カメラで撮影された場合の被検体の画像に補正するステップと、前記Ｘ線源で被検体を撮影する場合、前記予め定められた回転角を除く２以上の前記Ｘ線源の回転角からそれぞれ広がり角をもって前記被検体に照射するときの推定曝射範囲を組み合わせた画像を作成するステップと、前記推定曝射範囲の画像と、前記補正された被検体の画像とを重ねた画像を作成するステップと、前記重ねた画像を表示部に表示させるステップと、前記寝台天板を被検体の体軸方向又は上下方向の少なくとも一方に移動させるとき、該寝台天板の移動に応じて移動する前記被検体の画像を表示させるステップと、を有することを特徴とするＸ線ＣＴ装置における被検体の位置決め方法である。
【手続補正３】
【補正対象書類名】明細書
【補正対象項目名】００１３
【補正方法】変更
【補正の内容】
【００１３】
請求項１及び請求項７に記載の発明によると、寝台天板を被検体の体軸方向又は上下方向の少なくとも一方に移動させると、その移動に応じて移動する被検体の画像をＸ線の推定曝射範囲の画像と重ねて表示部に表示させることにより、操作者が行う被検体の位置決めを容易にするとともに、被検体の被曝範囲を確実に低減することができる。
【手続補正書】
【提出日】平成23年2月17日(2011.2.17)
【手続補正１】
【補正対象書類名】特許請求の範囲
【補正対象項目名】全文
【補正方法】変更
【補正の内容】
【特許請求の範囲】
【請求項１】
遊技盤上に設けられた始動入賞口への遊技球の入賞に基づき所定時間開放することで、遊技盤上に設けられた役物内に遊技球を入賞可能とする開閉部材と、
この開閉部材の開放により遊技球が役物内に入賞し、かつ当該役物内に設けられたＶ入賞口に入ることを条件に、遊技盤上に設けられた大入賞口を、選択された回数開閉して前記大入賞口への多くの遊技球の入賞と当該入賞に伴う賞球を可能とする大当たり遊技を制御する遊技制御手段と、
前記大当たり遊技終了後、前記開閉部材を、前記遊技球が前記Ｖ入賞口に入賞し易い時期に所定時間開放するように制御する遊技球入賞時期制御手段と、
を備えたことを特徴とする遊技機。
【請求項２】
前記始動入賞口は、前記遊技球の入賞に伴う抽選の結果に基づき所定時間作動する特別図柄の作動開始条件となる特別図柄始動入賞口を含み、
この特別図柄始動入賞口への遊技球の入賞に基づき前記特別図柄を所定時間作動させる特別図柄表示装置をさらに備え、
前記開閉部材は、前記特別図柄表示装置に停止表示された特別図柄に基づき所定時間開放することを特徴とする請求項１記載の遊技機。
【請求項３】
前記特別図柄表示装置が非作動中以外の状態の時に、遊技球が前記特別図柄始動口に入賞したときに、前記特別図柄表示装置の作動の権利の保留情報を所定の最大個数まで記憶することが可能となる特別図柄メモリ装置をさらに備えていることを特徴とする前記請求項２記載の遊技機。
【請求項４】
前記遊技球入賞時期制御手段として、前記役物内に入賞した遊技球を停留させるための停留装置を備え、この停留装置は特別図柄停止確定、若しくは役物の開閉部材の開放を契機として停留を開始し、一定時間後に停留を解除することを特徴とする請求項１〜請求項３の何れか１項記載の遊技機。
【請求項５】
前記Ｖ入賞口が、前記役物内に設置された回転体に設けられた、前記大当たり遊技中において、前記回転体が予め決められた位置で停止し、大当たり遊技終了後、当該停止した位置から回転動作を開始し、遊技球入賞時期制御手段は、役物内に入った遊技球が回転体のＶ入賞口に入るように前記停留装置と回転体との作動を制御することを特徴とする請求項４記載の遊技機。
【手続補正２】
【補正対象書類名】明細書
【補正対象項目名】０００８
【補正方法】変更
【補正の内容】
【０００８】
本発明は、遊技盤上に設けられた始動入賞口への遊技球の入賞に基づき所定時間開放することで、遊技盤上に設けられた役物内に遊技球を入賞可能とする開閉部材と、
この開閉部材の開放により遊技球が役物内に入賞し、かつ当該役物内に設けられたＶ入賞口に入ることを条件に、遊技盤上に設けられた大入賞口を、選択された回数開閉して前記大入賞口への多くの遊技球の入賞と当該入賞に伴う賞球を可能とする大当たり遊技を制御する遊技制御手段と、前記大当たり遊技終了後、前記開閉部材を、前記遊技球が前記Ｖ入賞口に入賞し易い時期に所定時間開放するように制御する遊技球入賞時期制御手段と、
を備えたことを特徴としている。
【手続補正３】
【補正対象書類名】明細書
【補正対象項目名】０００９
【補正方法】変更
【補正の内容】
【０００９】
本発明によれば、大当たり遊技終了後、開閉部材を、遊技球が前記Ｖ入賞口に入賞し易い時期に所定時間開放するように制御することにより、特に、大当たり遊技終了後（例えば、終了直後）、又は大当たり遊技終了後所定回数（例えば、特別図柄変動装置の作動回数）の遊技において、次の大当たり発生条件を遊技者自身の技量により獲得し易くすることができる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】０１０３
【補正方法】変更
【補正の内容】
【０１０３】
ステップ３８０では、再度、回転体２０６を原位置へ移動させ停止させて原点位置が維持されていることを確認し、次いでステップ３８４で停留弁を傾斜樋部２１２Ａのパチンコ球ＰＢの流動領域に配置（突出位置）し、これを維持しておく。
【手続補正書】
【提出日】平成23年7月5日(2011.7.5)
【手続補正１】
【補正対象書類名】特許請求の範囲
【補正対象項目名】全文
【補正方法】変更
【補正の内容】
【特許請求の範囲】
【請求項１】
フォーカスレンズを介して被検眼の眼底を撮像する撮像素子を有する撮影光学系と、
前記眼底に複数のフォーカス指標を投影するフォーカス指標投影手段と、
前記フォーカスレンズを駆動するフォーカス駆動手段と、
前記複数のフォーカス指標に対応する複数のフォーカス指標像の位置に基づいて前記フォーカス駆動手段の第１の駆動量を取得する第１の取得手段と、
前記複数のフォーカス指標像のうち少なくとも一つのコントラストに基づいて前記フォーカス駆動手段の第２の駆動量を取得する第２の取得手段と、
を有することを特徴とする眼科装置。
【請求項２】
前記フォーカス駆動手段が、前記第１の駆動量に基づいて前記フォーカスレンズを駆動した後に、前記第２の駆動量に基づいて該フォーカスレンズを駆動することを特徴とする請求項１に記載の眼科装置。
【請求項３】
前記第２の取得手段が、前記フォーカス駆動手段により前記第１の駆動量に基づいて前記フォーカスレンズを駆動している際に、前記コントラストに基づいて前記第２の駆動量を取得することを特徴とする請求項１あるいは２に記載の眼科装置。
【請求項４】
前記フォーカス駆動手段により前記第１の駆動量に基づいて前記フォーカスレンズを駆動した際における前記コントラストの極大点を検出する極大点検出手段を有することを特徴とすることを特徴とする請求項１乃至３のいずれか１項に記載の眼科装置。
【請求項５】
前記第２の取得手段が、前記極大点の検出の有無に応じて前記フォーカス駆動手段により前記第２の駆動量に基づいて前記フォーカスレンズを駆動する際の駆動方向を取得することを特徴とする請求項４に記載の眼科装置。
【請求項６】
前記極大点の検出が有る場合、前記駆動方向は前記第１の駆動量に基づく前記フォーカスレンズの駆動方向とは逆方向であり、
前記極大点の検出が無い場合、前記駆動方向は前記第１の駆動量に基づく前記フォーカスレンズの駆動方向であることを特徴とする請求項４あるいは５に記載の眼科装置。
【請求項７】
前記複数のフォーカス指標は、前記被検眼の瞳の異なる部位を通過する複数の光束であり、該複数の光束のうち一方が少なくとも２つの透過ピークを有する形状であることを特徴とする請求項１乃至６のいずれか１項に記載の眼科装置。
【請求項８】
前記複数のフォーカス指標像のうち少なくとも一つの輝度値、エッジ、周波数成分を前記コントラストとして検出するコントラスト検出手段を有することを特徴とする請求項１乃至７のいずれか１項に記載の眼科装置。
【請求項９】
前記複数のフォーカス指標像の位置を検出する指標像位置検出手段と、
前記位置に基づいて前記第１の駆動量を算出する第１の駆動量算出手段と、
前記フォーカス駆動手段の駆動中において前記コントラストに基づいて前記第２の駆動量を算出する第２の駆動量算出手段と、
を有することを特徴とする請求項１乃至８のいずれか１項に記載の眼科装置。
【請求項１０】
前記第２の駆動量に基づく前記フォーカスレンズの駆動が完了した後に前記眼底を撮影することを特徴とする請求項１乃至９のいずれか１項に記載の眼科装置。
【請求項１１】
フォーカスレンズを介して被検眼の眼底を撮像する撮像素子を有する撮影光学系と、
前記眼底に複数のフォーカス指標を投影するフォーカス指標投影手段と、
前記フォーカスレンズを駆動するフォーカス駆動手段と、
前記複数のフォーカス指標に対応する複数のフォーカス指標像の位置に基づいて前記フォーカス駆動手段の第１の駆動量を取得する第１の取得手段と、
前記複数のフォーカス指標像のうち少なくとも一つのコントラストに基づいて前記フォーカス駆動手段の第２の駆動量を取得する第２の取得手段と、
を有することを特徴とする眼科システム。
【請求項１２】
被検眼の眼底に複数のフォーカス指標を投影する工程と、
前記複数のフォーカス指標に対応する複数のフォーカス指標像の位置に基づいてフォーカスレンズを駆動するフォーカス駆動手段の第１の駆動量を取得する工程と、
前記複数のフォーカス指標像のうち少なくとも一つのコントラストに基づいて前記フォーカス駆動手段の第２の駆動量を取得する工程と、
を有することを特徴とする眼科方法。
【請求項１３】
被検眼の眼底に複数のフォーカス指標を投影する処理と、
前記複数のフォーカス指標に対応する複数のフォーカス指標像の位置に基づいてフォーカスレンズを駆動するフォーカス駆動手段の第１の駆動量を取得する処理と、
前記複数のフォーカス指標像のうち少なくとも一つのコントラストに基づいて前記フォーカス駆動手段の第２の駆動量を取得する処理と、
をコンピュータに実行させることを特徴とするプログラム。
【手続補正書】
【提出日】平成22年12月16日(2010.12.16)
【手続補正１】
【補正対象書類名】特許請求の範囲
【補正対象項目名】請求項１
【補正方法】変更
【補正の内容】
【請求項１】
指で摘まめるブロック状の突起、又は無負荷で自立していて指で摘んだり、指で挟むまたは／或いは指を挟むことが出来る柔軟素材で可撓性のある突起を設けた事を特徴としたカードケース。
【手続補正書】
【提出日】平成23年7月15日(2011.7.15)
【手続補正１】
【補正対象書類名】特許請求の範囲
【補正対象項目名】全文
【補正方法】変更
【補正の内容】
【特許請求の範囲】
【請求項１】
積層されたロータコアにおいて、
前記ロータコアの外周面に円周等分された複数個の周方向突起部と、隣り合う前記周方向突起部の間に少なくとも２つの軸方向突起部を備えたことを特徴とするロータコア。
【請求項２】
前記周方向突起部と前記軸方向突起部の間にマグネットが備えられたことを特徴とする請求項１記載のロータコア。
【請求項３】
前記軸方向突起部は、隣り合う前記周方向突起部の略中心角に配置されたことを特徴とする請求項1または２記載のロータコア。
【請求項４】
前記軸方向突起部は、隣り合う前記周方向突起部の略中心角を中心として対称形状に形成されたことを特徴とする請求項１乃至３のいずれか１つに記載のロータコア。
【請求項５】
前記軸方向突起部は、順送型のジャンプ機能によって形成されたことを特徴とする請求項1乃至４のいずれか１つに記載のロータコア。
【請求項６】
前記軸方向突起部は、前記ロータコアの中心軸と中心として円周等間隔に配置されたことを特徴とする請求項１乃至５のいずれか１つに記載のロータコア。
【請求項７】
前記軸方向突起部は、前記ロータコアが長尺物の場合、隣り合う前記周方向突起部の略中心角に所定の間隔を離間して複数個形成されたことを特徴とする請求項1乃至６のいずれか１つに記載のロータコア。
【請求項８】
前記マグネットを前記周方向突起部と前記軸方向突起部の間に配置した後に、接着により固定することを特徴とする請求項２記載のロータコア。
【請求項９】
請求項１記載のロータコアであって、前記ロータコアの外周面にマグネットが備えられ、前記マグネットに対向するようにステータ部が配置され、前記ロータコアの内周面に軸受に支持されたシャフトが挿入されたことを特徴とするモータ。  
【手続補正２】
【補正対象書類名】明細書
【補正対象項目名】０００５
【補正方法】変更
【補正の内容】
【０００５】
本発明によると、ロータコアへのマグネットの位置決めが精度良くできることから、マグネットの固定時の上下へのずれや、モータ駆動中のマグネットの振動が除去できる。
また、ロータコアへのマグネットの位置決めが精度良くでき、ロータコアに取り付けられたマグネットが上下方向にずれないように構成されることから、モータ特性の指標となるトルクリプルや速度リプルを低減することが可能となる。
【手続補正書】
【提出日】平成23年9月26日(2011.9.26)
【手続補正１】
【補正対象書類名】特許請求の範囲
【補正対象項目名】全文
【補正方法】変更
【補正の内容】
【特許請求の範囲】
【請求項１】
永久磁石を配置する永久磁石取付部を有した回転子コアを形成するための円弧状のユニットコアと、
前記ユニットコアを複数隣接させて環状に連結してなる環状コア板を上下方向に所定枚数積層したときに、当該環状コア板を互いにかしめ結合により連結するように前記ユニットコアに形成された複数のかしめ部と、を備えた回転子の積層コアにおいて、
前記ユニットコアの複数のかしめ部は、前記永久磁石取付部に対向して、回転子の磁束磁路に影響のない部位に波状に配列して設けられたことを特徴とする回転子の積層コア。
【請求項２】
前記ユニットコアに配置された複数のかしめ部のうち、該ユニットコアの円弧状の中心から該永久磁石取付部の放射方向における略中心軸上に配置されるかしめ部が、該ユニットコアの円弧状の中心から該永久磁石取付部の放射方向における略両端位置に配置されるかしめ部に比べて、該永久磁石取付部の内周側に接近して設けられたことを特徴とする請求項１記載の回転子の積層コア。
【請求項３】
前記ユニットコアは、該コアを積層する際に位置決めを行うためのパイロット孔を有しており、
前記ユニットコアの放射方向における永久磁石取付部と反対側の面には、該回転子コアをシャフトに嵌合する際に位置決めを行うためのロータキー溝を有していることを特徴とする請求項１または２に記載の回転子の積層コア。
【請求項４】
前記パイロット孔は、前記ユニットコアにおける前記永久磁石取付部相互間の略中心軸上に形成したことを特徴とする請求項３に記載の回転子の積層コア。
【請求項５】
前記パイロット孔は、前記ユニットコアにおける前記永久磁石取付部の略中心軸上に形成したことを特徴とする請求項３に記載の回転子の積層コア。
【請求項６】
前記パイロット孔と前記ロータキー溝は、互いに周方向にずらして配置してあることを特徴とする請求項３〜５のいずれか１項に記載の回転子の積層コア。
【請求項７】
前記永久磁石取付部は、前記ユニットコアの周方向の表面に形成されたことを特徴とする請求項１〜６のいずれか１項に記載の回転子の積層コア。
【請求項８】
前記永久磁石取付部は、前記ユニットコアの周方向の内部に形成した永久磁石挿入孔で構成されたことを特徴とする請求項１〜６のいずれか１項に記載の回転子の積層コア。
【請求項９】
前記永久磁石挿入孔が配置される前記ユニットコアの磁極部分のみが、該ユニットコアの周方向に突出するように形成されたことを特徴とする請求項８に記載の回転子の積層コア。
【請求項１０】
請求項１〜９までの何れか１項に記載の積層コアを積層し、かしめ結合することで円筒状の積層体を形成してなることを特徴とする回転子コア。
【請求項１１】
請求項１０記載の回転子コアと、
前記回転子コアの永久磁石取付部に配設された界磁となる永久磁石と、
を有することを特徴とする永久磁石形同期回転電機用回転子。
【請求項１２】
請求項１１に記載の回転子と、
前記回転子にギャップを介して対向配置された固定子と、
を有することを特徴とする永久磁石形同期回転電機。
【請求項１３】
請求項１２に記載の永久磁石形同期回転電機を、車輪を駆動するモータとして用いる、もしくは発電機として動作させることを特徴とする車両。
【請求項１４】
請求項１２に記載の永久磁石形同期回転電機を、綱車を駆動するモータとして用いることを特徴とする昇降機。
【請求項１５】
請求項１２に記載の永久磁石形同期回転電機を、駆動源として用いることを特徴とする加工機。
【手続補正２】
【補正対象書類名】明細書
【補正対象項目名】００１０
【補正方法】変更
【補正の内容】
【００１０】
請求項６の発明は、請求項３〜５のいずれか１項に記載の回転子の積層コアにおいて、前記パイロット孔と前記ロータキー溝は、互いに周方向にずらして配置してあることを特徴としている。
【手続補正３】
【補正対象書類名】明細書
【補正対象項目名】００１１
【補正方法】変更
【補正の内容】
【００１１】
請求項７の発明は、請求項１〜６のいずれか１項に記載の回転子の積層コアにおいて、前記永久磁石取付部は、前記ユニットコアの周方向の表面に形成されたことを特徴としている。
【手続補正４】
【補正対象書類名】明細書
【補正対象項目名】００１２
【補正方法】変更
【補正の内容】
【００１２】
請求項８の発明は、請求項１〜６のいずれか１項に記載の回転子の積層コアにおいて、前記永久磁石取付部は、前記ユニットコアの周方向の内部に形成した永久磁石挿入孔で構成されたことを特徴としている。